(57)【要約】【課題】  ハイアングル撮影・ローアングル撮影におけるレリーズ釦押込時の撮像画面ブレの軽減・防止と、撮影時以外でユーザーが意図せずレリーズ釦に触れた際の誤反応の軽減・防止の両立を可能にした撮像装置を提供すること。【解決手段】  ユーザーが操作可能な操作部（１１４）と、前記操作部（１１４）に対するの押圧を検知する押圧検知手段（１１６）と、前記検知された押圧量が判定閾値以上であるか否かを判定する手段（１０７）と、前記判定閾値を任意に設定可能な閾値設定手段（１０７）と、撮像装置（１００）がハイアングル撮影状態あるいはローアングル撮影状態であることを検知可能な状態検知手段（１０７）と、を有し、前記状態検知手段（１０７）が、ハイアングル撮影状態あるいはローアングル撮影状態を検知した際に、前記閾値設定手段（１０７）が、前記判定閾値をデフォルト値よりも小さくなるように設定することを特徴とする。【選択図】  図１
2020134789.tif 000002
【特許請求の範囲】
【請求項１】
ユーザーが操作可能な操作部（１１４）と、
前記操作部（１１４）に対するの押圧を検知する押圧検知手段（１１６）と、
前記検知された押圧量が判定閾値以上であるか否かを判定する手段（１０７）と、
前記判定閾値を任意に設定可能な閾値設定手段（１０７）と、
撮像装置（１００）がハイアングル撮影状態あるいはローアングル撮影状態であることを検知可能な状態検知手段（１０７）と、
を有し、前記状態検知手段（１０７）が、ハイアングル撮影状態あるいはローアングル撮影状態を検知した際に、前記閾値設定手段（１０７）が、前記判定閾値をデフォルト値よりも小さくなるように設定することを特徴とする撮像装置（１００）。
【請求項２】
撮像装置（１００）に対し、レンズユニット（１２０）の着脱が可能であり、
前記レンズユニット（２００）が装着されているか否かを検知するレンズ装着検知手段（１０７）を有し、
前記レンズ装着検知手段（１０７）が、前記レンズユニット（１２０）が装着されていない状態を検知した際は、前記状態検知手段（１０７）の検知結果にかかわらず、前記閾値設定手段（１０７）が、前記判定閾値をデフォルト値よりも大きくなるように設定することを特徴とする請求項１に記載の撮像装置（１００）。
【請求項３】
前記撮像装置（１００）が撮影モードにあるか否かを判定するモード判定手段（１０７）を有し、
前記レンズ装着検知手段（１０７）が、前記レンズユニット（１２０）が装着されている状態を検知し、かつ前記モード判定手段（１０７）が、前記撮像装置（１００）が撮影モードでないと判定した際は、前記状態検知手段（１０７）の検知結果にかかわらず、前記閾値設定手段（１０７）が、前記判定閾値をデフォルト値に設定することを特徴とする請求項２に記載の撮像装置（１００）。
【発明の詳細な説明】
【技術分野】
【０００１】
本発明は、デジタルカメラやビデオカメラ等の撮像装置およびその制御方法に関し、特に、レリーズ釦のストローク量の制御に関する。
【背景技術】
【０００２】
従来、典型的な撮像装置において、ユーザーがレリーズ釦を押し込むと、レリーズ釦に接続されている導電性を有する板バネが、押し込み方向に間隔を置いて配置されている別の板バネと接触することでシャッターが切られる。この手法では、レリーズ釦を押し込む力によって撮像装置全体が回転することで、撮像画面がブレることが懸念されている。特に、ハイアングル撮影・ローアングル撮影など、撮像装置を十分保持できない状態での撮影において撮像画面ブレは顕著であるため、レリーズ釦のストローク量を短くしたいという課題がある。しかし、一様にストローク量を短くすると、撮影時以外でユーザーが意図せずレリーズ釦に触れてしまった際に誤反応しやすいという課題が残る。
【０００３】
特許文献１には、電気接片がレリーズボタン方向において規制される規制位置を変化させる規制位置調整機構が設けることで、ユーザーがレリーズ釦のストローク量を任意に調整可能な手段が開示されている。
【先行技術文献】
【特許文献】
【０００４】
【特許文献１】特開平９−３２５４０７号公報
【発明の概要】
【発明が解決しようとする課題】
【０００５】
しかしながら、上記の特許文献１に開示された従来技術では、物理的な調整機構によりストローク量が調整されるため、ユーザーがストローク量を変更したい場合は、その都度ストローク調整機構を操作する手間が生じる。
【０００６】
そこで、本発明の目的は、撮像装置の状態に合わせて、レリーズ釦のストローク量を自動で制御することで、レリーズ釦押込時の撮像画面ブレの軽減・防止と、撮影時以外にユーザーが意図せず釦に触れた際の誤反応の軽減・防止の両立を可能にした撮像装置を提供することにある。
【課題を解決するための手段】
【０００７】
上記の目的を達成するために、本発明に係る撮像装置は、
ユーザーが操作可能な操作部（１１４）と、
前記操作部（１１４）に対する押圧を検知する押圧検知手段（１１６）と、
前記検知された押圧量が判定閾値以上であるか否かを判定する手段（１０７）と、
前記判定閾値を任意に設定可能な閾値設定手段（１０７）と、
撮像装置（１００）がハイアングル撮影状態あるいはローアングル撮影状態であることを検知可能な状態検知手段（１０７）と、
を有し、前記状態検知手段（１０７）が、ハイアングル撮影状態あるいはローアングル撮影状態を検知した際に、前記閾値設定手段（１０７）が、前記判定閾値をデフォルト値よりも小さくなるように設定することを特徴とする。
【発明の効果】
【０００８】
本発明によれば、ハイアングル撮影状態・ローアングル撮影状態を検知した際のみ、レリーズ釦のストローク量が短くなるように制御することで、レリーズ釦押込時の画像ブレの軽減・防止と、撮影状態以外でユーザーが意図せずレリーズ釦に触れた際の誤反応の軽減・防止の両立が可能である撮像装置の提供を実現できる。
【図面の簡単な説明】
【０００９】
【図１】本発明の実施形態を説明するための撮像装置の構成を示すブロック図である。
【図２】本発明の第１の実施形態におけるフローチャートである。
【図３】本発明の第２の実施形態におけるフローチャートである。
【発明を実施するための形態】
【００１０】
以下、本発明を実施するための形態について、図面を参照しながら詳細に説明する。
【００１１】
図１は、本発明の実施形態にかかわるレリーズ釦１１５を備えた撮像装置１００に関するブロック図である。
【００１２】
１０１は撮像素子であり、レンズ１２１、絞り１２２、シャッター１１３を介して、不図示の被写体の光学像が結像し、その光学像を電気信号に変換する。
【００１３】
１０２はＡ／Ｄ変換部であり、撮像素子１０１のアナログ信号出力をデジタル信号に変換する。Ａ／Ｄ変換部１０１でＡ／Ｄ変換されたデジタル信号は、メモリ制御部１０３及びシステム制御部１０７により制御され、メモリ１０４に格納される。
【００１４】
１０３はメモリ制御部であり、Ａ／Ｄ変換部１０２、画像処理部１０５、表示装置１０６、間のデータの送受を制御する。Ａ／Ｄ変換部１０２のデータが画像処理部１０５を介して、メモリ１０４に書き込まれる。
【００１５】
１０４は撮影した静止画像及び動画像、再生用表示のための画像のデータを格納するためのメモリであり、所定枚数の静止画像や動画像を格納するのに十分な記憶量を備える。なお、メモリ１０４はシステム制御部１０７のプログラムスタック領域、ステータス記憶領域、演算用領域、ワーク用領域、画像表示データ用領域が確保されている。各種の演算は、メモリ１０４の演算用領域を利用し、システム制御部１０７により実行される。
【００１６】
１０５は画像処理部であり、Ａ／Ｄ変換部１０２でＡ／Ｄ変換されたデジタル信号のデータに対して所定の画素補間処理や色変換処理を行う。
【００１７】
１０６は表示装置であり、不図示の液晶パネル表示部、バックライト照明部により構成される。表示装置１０６は撮像素子から得られた撮像データを逐次リアルタイムにスルー画像表示することで、「ライブビュー」撮影を行うことができる。また、撮像画像あるいは動画を表示・再生することも可能である。
【００１８】
１０７は撮像装置１００全体を制御するシステム制御部である。また、レンズ交換式の撮像装置の場合も、レンズ制御部１２３を制御することでレンズユニット１２０を制御することが可能である。加えて、システム制御部１０７は、後述の感圧センサー１１６から出力される信号レベルが所定値以上であるか否かを判定する手段および判定閾値を一つあるいは複数持っている。システム制御部１０７は、感圧センサー１１６からの出力レベルが判定閾値を超えているか否か応じて、撮像装置１００全体の制御を行う。例えば、システム制御部１０７が判定閾値を２つ持っている場合、第一の判定閾値以上第二の判定閾値以下であればＡＥ／ＡＦなどの撮影準備を行い、第二の判定閾値以上であれば撮像動作を行うなどの制御が考えられる。
【００１９】
１０８は電気的に消去・記録可能な不揮発性メモリであり、例えばフラッシュメモリやＥＥＰＲＯＭ等が用いられる。不揮発性メモリ１０８には、撮影状態の保存や、撮像装置１００を制御するプログラムが格納されている。
【００２０】
１０９は電源部であり、電池、電池検出回路、ＤＣ−ＤＣコンバータ、通電するブロックを切り替えるスイッチ回路等により構成されており、電池の装着の有無、電池の種類、電池残量の検出を行う。また、検出結果及びシステム制御部１０７の指示に基づいてＤＣ−ＤＣコンバータを制御し、必要な電圧を必要な期間、各ブロック部へ供給する。
【００２１】
１１０はシャッター制御部であり、測光部１１１からの測光情報に基づいて、絞り１２２を制御するレンズ制御部１２３と連携しながら、シャッター１１３を制御する。
【００２２】
１１１はＡＥ（自動露出）処理を行うための測光部である。レンズ１２１に入射した光線を、絞り１２２、不図示の測光用レンズを介して、測光部１１１に入射させることにより、光学像として結像された画像の露出状態を測定することができる。
【００２３】
１１２はＡＦ処理を行うための測距部である。レンズ１２１に入射した光線を、絞り１２２、不図示の測距用ミラーを介して、測距部１１２に入射させることにより、光学像として結像された画像の合焦状態を測定することができる。  
【００２４】
１１３はシャッターであり非撮影時には撮像素子１０１を遮光し、撮影時には開いて撮像素子１０１へ光線を導く。
【００２５】
１１４はシステム制御部１０７の各種の動作指示を入力するための操作手段である。操作手段は、スイッチやダイヤル、視線検知によるポインティング、音声認識装置等の単数或いは複数の組み合わせで構成される。
【００２６】
１１５は操作部１１４に含まれるレリーズ釦であり、感圧センサー１１６によって構成されている。レリーズ釦１１５は、例えばＡＥ／ＡＦなどの撮影準備および撮像動作を行う際にユーザーによって操作される。
【００２７】
１１６はレリーズ釦１１５を構成する感圧センサーであり、レリーズ釦１１５の押し込み量に応じた信号をシステム制御部１０７へ出力する。
【００２８】
１１７は撮像装置１００の状態を検出する状態検出部であり、例えば、気圧センサー、接眼検知センサー、磁気センサー、加速度センサー、角速度センサーなどの単数或いは複数の組み合わせで構成される。状態検出部１１７により、撮像装置１００がハイアングル撮影状態あるいはローアングル撮影状態であることを検出できる。
【００２９】
１２０はレンズユニットであり、レンズ１２１、絞り１２２、レンズ制御部１２３、レンズ駆動部１２４で構成される。ただし、レンズ交換式の撮像装置などの場合は、レンズユニット１２０は必ずしも撮像装置１００の内部に含まれる必要はない。その場合、レンズユニット１２０と撮像装置１００が不図示の電気接点を介して接続されることになる。
【００３０】
１２１はレンズあるいはレンズ群であり、レンズ駆動部１２４によって制御される。
【００３１】
１２２は絞りであり、撮像素子１０１へ到達する光の量を調整できる。絞り１２２は、レンズ駆動部１２４によって制御される。
【００３２】
１２３はレンズユニット１２０全体を制御するレンズ制御部である。レンズ制御部１２３は、動作用の定数、変数、プログラム等を記憶するメモリやレンズユニット１２０固有の番号等の識別情報、管理情報、開放絞り値や最小絞り値、焦点距離等の機能情報、現在や過去の各設定値等を保持する不揮発メモリの機能も備える。レンズ制御部１２３は、測距部１１２或いは画像処理部１０５より測定された画像の合焦状態に応じて、レンズ１２１のフォーカシングを制御し、撮像素子１０１に入射する被写体像の結像位置を変更することでＡＦ動作を行うことが可能である。また、レンズ制御部１２３は絞り１２２の制御や、レンズ１２１のズーミングを制御する機能も兼ね備える。
【００３３】
１２４はレンズ１２１および絞り１２２を駆動するレンズ駆動部である。レンズ制御部１２３からのフォーカシング制御信号やズーミング制御信号、および像振れ補正制御信号を受けてレンズ１２１を駆動させる。さらに、絞り制御信号を受けて絞り１２２を駆動させる。レンズ駆動部１２４は上記のフォーカシング制御機構、ズーミング制御機構、像ぶれ補正制御機構、絞り制御機構をそれぞれ備えている。
【実施例１】
【００３４】
以下、図１、図２を参照して、本発明の第１の実施例による、撮像装置１００の状態に応じてレリーズ釦１１５のストローク量を制御する処理について説明する。
【００３５】
図２のフローチャートは、本発明におけるもっとも基本的な処理であり、撮像装置１００の状態がハイアングル撮影状態あるいはローアングル撮影状態であった場合に、システム制御部１０７が、感圧センサー１１６の判定閾値を小さくするように制御する処理について説明している。
【００３６】
このフローチャートは、撮像装置１００に電源が投入された状態で、操作部１１４が操作されることで撮像装置１００が起動するところから始まる。
ステップ１００は、システム制御部１０７が状態検出部１１７から撮像装置１００の状態に関する情報を取得する。取得する情報は、気圧情報および気圧情報の時間変化、接眼検知情報である。
【００３７】
ステップ１０１は、システム制御部１０７がステップ１００で取得した情報を元に、撮像装置１００がハイアングル撮影状態あるいはローアングル撮影状態であるか否かを判定する。ハイアングル撮影状態あるいはローアングル撮影状態であればステップ１０２へ移行し、そうでなければステップ１０３へ移行する。ハイアングル撮影状態、ローアングル撮影状態は、気圧情報の時間変化と接眼検知の有無により検出する。気圧情報の時間変化が減少方向に所定値以上かつ接眼検知されていない場合はハイアングル撮影と判定する。気圧情報の時間変化が増加方向に所定値以上かつ接眼検知されていない場合はローアングル撮影と判定する。上記判定方法は一例であり、この限りでない。
【００３８】
ステップ１０２は、システム制御部１０７が感圧センサー１１６の判定閾値を小さくなるように制御を行う。
【００３９】
ステップ１０３は、システム制御部１０７が感圧センサー１１６の判定閾値をデフォルト状態のまま維持するように制御する。
【００４０】
このように、システム制御部１０７が、状態検出部１１７から取得する情報に基づき、
感圧センサー１１６の出力判定閾値を小さくなるように制御することで、レリーズ釦のストローク量を短くすることが可能になる。これにより、ハイアングル撮影あるいはローアングル撮影時のレリーズ釦１１５押し込みによる撮影画像ぶれを軽減・防止することが可能になる。また、ハイアングル撮影、ローアングル撮影時以外は、ストローク量はデフォルト値のままであるため、ユーザーが意図せずレリーズ釦に触れた際の誤反応の軽減も可能になる。
【実施例２】
【００４１】
以下、図１、図３を参照して、本発明の第２の実施例による、撮像装置１００の状態に応じてレリーズ釦１１５のストローク量を制御する処理について説明する。
【００４２】
図３のフローチャートは、実施例１の処理に加え、撮像装置１００にレンズユニット１２０が装着されているか否かの判定および撮像装置１００が撮影モードであるか否かの判定を行い、システム制御部１０７が感圧センサー１１６の判定閾値を制御する処理について説明している。
【００４３】
このフローチャートは、撮像装置１００に電源が投入された状態で、操作部１１４が操作されることで撮像装置１００が起動するところから始まる。
【００４４】
ステップ３００は、システム制御部１０７が状態検出部１１７から撮像装置１００の状態に関する情報を取得する。取得する情報は、ステップ１００と同じであるため省略する。
【００４５】
ステップ３０１は、システム制御部１０７が、撮像装置１００にレンズユニット１２０が装着されているか否かを判定し、装着されていればステップ３０２へ移行し、装着されていなければステップ３０６へ移行する。レンズユニット１２０が撮像装置１００の一部である場合、ステップ３０２へ移行する。
【００４６】
ステップ３０２は、システム制御部１０７が、撮像装置１００が撮影モードであるか否かを判定し、撮影モードであればステップ３０３へ移行し、撮影モードでなければステップ３０５へ移行する。本実施例における撮影モードとは、ライブビュー撮影状態やユーザーが撮像装置１００に対して接眼している状態を指す。ユーザーが撮像装置１００に対して、接眼しているか否かは、状態検出部１１７に含まれる接眼検知センサーによって判定する。
【００４７】
ステップ３０３は、システム制御部１０７がステップ３００で取得した情報を元に、撮像装置１００がハイアングル撮影状態あるいはローアングル撮影状態であるか否かを判定する。ハイアングル撮影状態あるいはローアングル撮影状態であればステップ３０４へ移行し、そうでなければステップ３０５へ移行する。ハイアングル撮影状態、ローアングル撮影状態の検出方法は、ステップ１０１と同じであるため省略する。
【００４８】
ステップ３０４は、システム制御部１０７が、感圧センサー１１６の判定閾値を小さくするように制御を行う。
【００４９】
ステップ３０５は、システム制御部１０７が、感圧センサー１１６の判定閾値をデフォルト状態のまま維持するように制御する。これは、ユーザーが表示装置１０６で、撮像画像や動画の再生、あるいは各種撮像装置１００の設定を行っている場合を想定したものである。撮影の意図が無いときに、レリーズ釦１１５へ触れてしまい、撮影モードへ移行するという誤反応を軽減・防止できる。また、後述のステップ３０６のように、感圧センサー１１６の判定閾値を大きくしない理由は、ユーザーが即座に撮影モードへ移行したいときに、通常と操作感が異なると違和感を感じるおそれがあるためである。
【００５０】
ステップ３０６は、システム制御部１０７が、感圧センサー１１６の判定閾値を大きくするように制御する。
【００５１】
このように、システム制御部１０７が、撮像装置１００にレンズユニット１２０が装着されているか否かの判定および撮像装置１００が撮影モードであるか否かの判定を行い、感圧センサー１１６の出力判定閾値を制御することができる。これにより、実施例１の効果に加え、撮影動作を行わない時は、レリーズ釦のストローク量を変化させない、あるいは、ストローク量を長くするよう制御することで、ユーザーが意図せずレリーズ釦１１５に触れてしまった場合の誤反応を、実施例１よりも精度よく軽減・防止できる。
【００５２】
以上、本発明の好ましい実施形態について説明したが、本発明はこれらの実施形態に限定されず、その要旨の範囲内で種々の変形及び変更が可能である。
【００５３】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５４】
１００  撮像装置、１０７  システム制御部、１１４  操作部、
１１５  レリーズ釦、１１６  感圧センサー、１１７  状態検出部、
１２０  レンズユニット
【図１】
2020134789.tif 000003
【図２】
2020134789.tif 000004
【図３】
2020134789.tif 000005